(57)【要約】【課題】一部のＬＥＤ光源に異常が生じた場合における照度低下を抑制する。【解決手段】第１制御回路10は、第１異常検出信号が入力された場合、スイッチング素子11のスイッチングを止めることで第１コンバータ１を停止する。第２制御回路20は、第２異常検出信号が入力された場合、スイッチング素子21のスイッチングを止めることで第２コンバータ２を停止する。さらに、第１制御回路10は、第１異常検出信号が入力されず且つ第２異常検出信号が入力された場合、ピーク値を正常時よりも高くすることで第１コンバータ１から第１ＬＥＤ光源B1への給電量を増やす。その結果、第１ＬＥＤ光源B1の光量が増加するので、第２ＬＥＤ光源B2が消灯した場合における照度低下を抑制することができる。【選択図】        図１
2015023002.tif 000002
【特許請求の範囲】
【請求項１】
入力電力を所望の直流電力に変換し、変換した前記直流電力を給電することで複数のＬＥＤ光源を駆動するＬＥＤ駆動装置であって、
前記ＬＥＤ光源の異常を検出する異常検出手段と、前記複数のＬＥＤ光源に給電される前記直流電力を各別に調整する調整手段と、前記複数のＬＥＤ光源の中で前記異常検出手段が異常を検出した前記ＬＥＤ光源への給電を停止するとともに、前記異常検出手段が異常を検出していない前記ＬＥＤ光源への給電量を増やすように前記調整手段を制御する制御手段とを備えることを特徴とするＬＥＤ駆動装置。
【請求項２】
交流の入力電力を直流電力に変換する交流／直流変換部を備え、前記調整手段は、前記交流／直流変換部から出力される直流電力を所望の直流電力に変換する複数の直流／直流変換部を有し、前記交流／直流変換部の出力端に複数の前記直流／直流変換部が並列に接続され、複数の前記直流／直流変換部の出力端に１つずつ前記ＬＥＤ光源が接続されることを特徴とする請求項１記載のＬＥＤ駆動装置。
【請求項３】
交流の入力電力を直流電力に変換する複数の交流／直流変換部を備え、前記調整手段は、前記交流／直流変換部から出力される直流電力を所望の直流電力に変換する複数の直流／直流変換部を有し、複数の前記交流／直流変換部の出力端に１つずつ前記直流／直流変換部が接続され、複数の前記直流／直流変換部の出力端に１つずつ前記ＬＥＤ光源が接続されることを特徴とする請求項１記載のＬＥＤ駆動装置。
【請求項４】
前記制御手段は、前記調整手段を制御して複数の前記ＬＥＤ光源への給電量を定格値よりも低下させている場合において、前記異常検出手段で異常が検出された前記ＬＥＤ光源への給電を停止するとともに、前記異常検出手段で異常が検出されていない前記ＬＥＤ光源への給電量を前記定格値に近付けるように前記調整手段を制御することを特徴とする請求項１〜３の何れか１項に記載のＬＥＤ駆動装置。
【請求項５】
前記制御手段は、前記調整手段を制御して複数の前記ＬＥＤ光源への給電量を定格値よりも低下させている場合において、前記異常検出手段で異常が検出された前記ＬＥＤ光源への給電を停止するとともに、前記異常検出手段で異常が検出されていない前記ＬＥＤ光源への給電量を前記定格値とするように前記調整手段を制御することを特徴とする請求項４記載のＬＥＤ駆動装置。
【請求項６】
前記ＬＥＤ光源が２つであり、前記制御手段は、２つの前記ＬＥＤ光源への給電量を同一とし且つ定格値よりも低下させている場合であって、前記異常検出手段で何れか１つの前記ＬＥＤ光源に異常が検出されたとき、前記異常検出手段で異常が検出された前記ＬＥＤ光源への給電を停止するとともに、前記異常検出手段で異常が検出されていない前記ＬＥＤ光源への給電量を定格値以下の範囲で２倍に増やし、定格値を超える場合には定格値になるように、前記調整手段を制御することを特徴とする請求項１〜３の何れか１項に記載のＬＥＤ駆動装置。
【請求項７】
請求項１〜６の何れかのＬＥＤ駆動装置と、前記ＬＥＤ駆動装置に駆動される複数のＬＥＤ光源と、少なくとも前記複数のＬＥＤ光源を保持する器具本体とを備えることを特徴とする照明器具。
【発明の詳細な説明】
【技術分野】
【０００１】
本発明は、ＬＥＤ駆動装置及び照明器具に関する。
【背景技術】
【０００２】
従来例として、特許文献１記載のＬＥＤ点灯装置を例示する。特許文献１記載の従来例は、ＤＣ／ＤＣコンバータと、切替制御部と、ＰＷＭ(Pulse Width Modulation)コントローラと、異常検出部とを備える。切替制御部は、２つのＬＥＤ光源とＤＣ／ＤＣコンバータの出力端との接続を択一的に切替制御する。ＰＷＭコントローラは、切替制御部によってＤＣ／ＤＣコンバータの出力端に接続されるＬＥＤ光源に合わせて、ＤＣ／ＤＣコンバータの出力を増減する。異常検出部は、２つのＬＥＤ光源の異常(短絡や無負荷など)を各別に検出し、異常を検出した方のＬＥＤ光源への給電を停止する。
【０００３】
特許文献１記載の従来例では、異常が生じたＬＥＤ光源への給電を停止して消灯させることにより、当該ＬＥＤ光源に異常が生じていることを認識し易くしている。
【先行技術文献】
【特許文献】
【０００４】
【特許文献１】特開２０１１−１５４８４１号公報
【発明の概要】
【発明が解決しようとする課題】
【０００５】
ところで、特許文献１記載の従来例のように、複数のＬＥＤ光源を駆動するＬＥＤ駆動装置において、何れかのＬＥＤ光源に異常が生じたときに当該ＬＥＤ光源の駆動を停止(消灯)するだけでは不都合が生じる場合が有る。例えば、ＬＥＤ光源が道路照明やトンネル照明の光源に用いられる場合、複数のＬＥＤ光源の一部が消灯することで必要最低限の照度が確保され難くなってしまう虞がある。
【０００６】
本発明は、上記課題に鑑みて為されたものであり、一部のＬＥＤ光源に異常が生じた場合における照度低下を抑制することを目的とする。
【課題を解決するための手段】
【０００７】
本発明のＬＥＤ駆動装置は、入力電力を所望の直流電力に変換し、変換した前記直流電力を給電することで複数のＬＥＤ光源を駆動するＬＥＤ駆動装置であって、前記ＬＥＤ光源の異常を検出する異常検出手段と、前記複数のＬＥＤ光源に給電される前記直流電力を各別に調整する調整手段と、前記複数のＬＥＤ光源の中で前記異常検出手段が異常を検出した前記ＬＥＤ光源への給電を停止するとともに、前記異常検出手段が異常を検出していない前記ＬＥＤ光源への給電量を増やすように前記調整手段を制御する制御手段とを備えることを特徴とする。
【０００８】
このＬＥＤ駆動装置において、交流の入力電力を直流電力に変換する交流／直流変換部を備え、前記調整手段は、前記交流／直流変換部から出力される直流電力を所望の直流電力に変換する複数の直流／直流変換部を有し、前記交流／直流変換部の出力端に複数の前記直流／直流変換部が並列に接続され、複数の前記直流／直流変換部の出力端に１つずつ前記ＬＥＤ光源が接続されることが好ましい。
【０００９】
このＬＥＤ駆動装置において、交流の入力電力を直流電力に変換する複数の交流／直流変換部を備え、前記調整手段は、前記交流／直流変換部から出力される直流電力を所望の直流電力に変換する複数の直流／直流変換部を有し、複数の前記交流／直流変換部の出力端に１つずつ前記直流／直流変換部が接続され、複数の前記直流／直流変換部の出力端に１つずつ前記ＬＥＤ光源が接続されることが好ましい。
【００１０】
このＬＥＤ駆動装置において、前記制御手段は、前記調整手段を制御して複数の前記ＬＥＤ光源への給電量を定格値よりも低下させている場合において、前記異常検出手段で異常が検出された前記ＬＥＤ光源への給電を停止するとともに、前記異常検出手段で異常が検出されていない前記ＬＥＤ光源への給電量を前記定格値に近付けるように前記調整手段を制御することが好ましい。
【００１１】
このＬＥＤ駆動装置において、前記制御手段は、前記調整手段を制御して複数の前記ＬＥＤ光源への給電量を定格値よりも低下させている場合において、前記異常検出手段で異常が検出された前記ＬＥＤ光源への給電を停止するとともに、前記異常検出手段で異常が検出されていない前記ＬＥＤ光源への給電量を前記定格値とするように前記調整手段を制御することが好ましい。
【００１２】
このＬＥＤ駆動装置において、前記ＬＥＤ光源が２つであり、前記制御手段は、２つの前記ＬＥＤ光源への給電量を同一とし且つ定格値よりも低下させている場合であって、前記異常検出手段で何れか１つの前記ＬＥＤ光源に異常が検出されたとき、前記異常検出手段で異常が検出された前記ＬＥＤ光源への給電を停止するとともに、前記異常検出手段で異常が検出されていない前記ＬＥＤ光源への給電量を定格値以下の範囲で２倍に増やし、定格値を超える場合には定格値になるように、前記調整手段を制御することが好ましい。
【００１３】
本発明の照明器具は、前記何れかのＬＥＤ駆動装置と、前記ＬＥＤ駆動装置に駆動される複数のＬＥＤ光源と、少なくとも前記複数のＬＥＤ光源を保持する器具本体とを備えることを特徴とする。
【発明の効果】
【００１４】
本発明のＬＥＤ駆動装置及び照明器具は、制御手段が、複数のＬＥＤ光源の中で異常検出手段が異常を検出していないＬＥＤ光源への給電量を増やすように調光手段を制御するので、一部のＬＥＤ光源に異常が生じた場合における照度低下を抑制することができるという効果がある。
【図面の簡単な説明】
【００１５】
【図１】本発明に係るＬＥＤ駆動装置の実施形態を示す回路図である。
【図２】同上における異常検出回路の回路図である。
【図３】本発明に係るＬＥＤ駆動装置の別の実施形態を示す回路図である。
【図４】本発明に係るＬＥＤ駆動装置のさらに別の実施形態を示す回路図である。
【図５】(ａ)〜(ｃ)は同上の動作説明用の波形図である。
【図６】同上における第１ＤＣ／ＤＣコンバータの別の構成を示す回路図である。
【図７】本発明に係る照明器具の実施形態を示し、(ａ)は側面図、(ｂ)は下面図である。
【発明を実施するための形態】
【００１６】
以下、本発明に係るＬＥＤ駆動装置の実施形態について、図面を参照して詳細に説明する。
【００１７】
本実施形態のＬＥＤ駆動装置A1は、図１に示すように２つのＤＣ／ＤＣコンバータ１，２、異常検出回路３、力率改善(Power Factor Correction)回路４、全波整流器５、調光回路部６などを備える。
【００１８】
全波整流器５はダイオードブリッジからなり、交流電源Ｅから供給される交流電圧・交流電流を全波整流して力率改善回路４に出力する。
【００１９】
力率改善回路４は、電界効果トランジスタからなるスイッチング素子41、スイッチング素子41をスイッチング制御するＰＦＣ制御回路40、チョークコイル42、ダイオード43、平滑コンデンサ44などで構成される従来周知の昇圧チョッパ回路で構成される。ただし、このような力率改善回路(昇圧チョッパ回路)４の動作は従来周知であるから、詳細な説明を省略する。
【００２０】
力率改善回路４の出力端に２つのＤＣ／ＤＣコンバータ１，２が並列に接続されている。一方のＤＣ／ＤＣコンバータ(以下、第１コンバータと呼ぶ。)１は、従来周知の降圧チョッパ回路であり、スイッチング素子11、第１制御回路10、インダクタ12、ダイオード13、平滑コンデンサ14、検出巻線15、ダイオード16などで構成される。ダイオード13のカソードが力率改善回路４の高電位側の出力端に接続され、ダイオード13のアノードがスイッチング素子11のドレインに接続される。スイッチング素子11のソースが、グランドに接地された力率改善回路４の低電位側の出力端に接続される。インダクタ12の一端がダイオード13のアノードに接続され、インダクタ12の他端が平滑コンデンサ14の低電位側に接続される。平滑コンデンサ14の高電位側がダイオード13のカソードに接続される。そして、平滑コンデンサ14の両端にＬＥＤ光源(以下、第１ＬＥＤ光源と呼ぶ。)B1が接続される。また、検出巻線15は、インダクタ12に磁気結合され、一端がグランドに接続されるとともに、他端がダイオード16のアノードに接続される。そして、ダイオード16のカソードが異常検出回路３に接続される。
【００２１】
他方のＤＣ／ＤＣコンバータ(以下、第２コンバータと呼ぶ。)２も従来周知の降圧チョッパ回路であり、スイッチング素子21、第２制御回路20、インダクタ22、ダイオード23、平滑コンデンサ24、検出巻線25、ダイオード26などで構成される。ダイオード23のカソードが力率改善回路４の高電位側の出力端に接続され、ダイオード23のアノードがスイッチング素子21のドレインに接続される。スイッチング素子21のソースが、グランドに接続される。インダクタ22の一端がダイオード23のアノードに接続され、インダクタ22の他端が平滑コンデンサ24の低電位側に接続される。平滑コンデンサ24の高電位側がダイオード23のカソードに接続される。そして、平滑コンデンサ24の両端にＬＥＤ光源(以下、第２ＬＥＤ光源と呼ぶ。)B2が接続される。また、検出巻線25は、インダクタ22に磁気結合され、一端がグランドに接続されるとともに、他端がダイオード26のアノードに接続される。そして、ダイオード26のカソードが異常検出回路３に接続される。
【００２２】
第１制御回路10は、スイッチング素子11をオンした後、インダクタ12を介してスイッチング素子11に流れる電流(インダクタ電流)が所定のピーク値に達したらスイッチング素子11をオフする。スイッチング素子11がオフすると、インダクタ12に蓄積された磁気エネルギーが放出され、ダイオード13を介して平滑コンデンサ14に充電される。そして、インダクタ12から平滑コンデンサ14に流れる回生電流がゼロになると、第１制御回路10は、再びスイッチング素子10をオンする。このようにして第１制御回路10がスイッチング素子10をスイッチング制御することにより、力率改善回路４から入力される直流電圧を、第１ＬＥＤ光源B1に必要とされる直流電圧に降圧することができる。
【００２３】
同様に、第２制御回路20は、スイッチング素子21をオンした後、インダクタ22を介してスイッチング素子21に流れる電流(インダクタ電流)が所定のピーク値に達したらスイッチング素子21をオフする。スイッチング素子21がオフすると、インダクタ22に蓄積された磁気エネルギーが放出され、ダイオード23を介して平滑コンデンサ24に充電される。そして、インダクタ22から平滑コンデンサ24に流れる回生電流がゼロになると、第２制御回路20は、再びスイッチング素子20をオンする。このようにして第２制御回路20がスイッチング素子20をスイッチング制御することにより、力率改善回路４から入力される直流電圧を、第２ＬＥＤ光源B2に必要とされる直流電圧に降圧することができる。
【００２４】
ただし、上述した第１及び第２制御回路10，20の制御動作は臨界モードと呼ばれるものであるが、これに限定する趣旨では無い。すなわち、第１及び第２制御回路10，20は、回生電流がゼロよりも高い下限値に達した時点でスイッチング素子11，21をオンしたり(連続モード)、あるいは、回生電流がゼロになった後にスイッチング素子11，21をオンしても構わない(不連続モード)。
【００２５】
調光回路部６は、外部から入力される調光信号から調光レベルを読み取り、読み取った調光レベルを第１制御回路10と第２制御回路20に与える。第１制御回路10及び第２制御回路20は、調光回路部６から与えられる調光レベルに応じて、インダクタ電流と比較するピーク値を変化させる。そして、ピーク値が変化することにより、第１ＬＥＤ光源B1及び第２ＬＥＤ光源B2への給電量を増減して第１ＬＥＤ光源B1と第２ＬＥＤ光源B2の光出力を調整(調光)する。ただし、調光回路部６の調光方法としては、第１及び第２コンバータ１，２からＬＥＤ光源B1，B2へ電流を供給する期間と停止する期間との比率を変えることにより調光レベルを変化させる、所謂バースト調光を用いても良い。更には、上述の２つの調光方法が組合されたものでも良い。
【００２６】
異常検出回路３は、例えば、コンパレータやマイクロコンピュータで構成される。そして、異常検出回路３は、検出巻線15，25に生じる検出電圧に基づいて第１ＬＥＤ光源B1及び第２ＬＥＤ光源B2の異常(短絡又は無負荷)を検出し、異常を検出した方のＬＥＤ光源B1，B2に対応する制御回路10，20に異常検出信号を出力する。
【００２７】
異常検出回路３の具体回路例を図２に示す。なお、図２では、第１コンバータ１の検出巻線15に生じる検出電圧(第１検出電圧)に対応した回路構成のみを図示しており、第２コンバータ２の検出巻線25に生じる検出電圧(第２検出電圧)に対応した回路構成(マイコン30を除く。)については図示を省略している。ただし、第２検出電圧に対応した回路構成は、図２に図示した第１検出電圧に対応した回路構成と共通である。
【００２８】
検出電圧(第１検出電圧と第２検出電圧)は、スイッチング素子11，21のオン期間にゼロ、スイッチング素子11，21のオフ期間にハイレベルとなる矩形波の電圧信号であって、ハイレベル時の電圧がコンバータ１，２の出力電圧と相関関係にある。したがって、ＬＥＤ光源B1，B2に短絡故障が発生した場合、コンバータ１，２の出力電圧がほぼゼロとなるので、検出電圧もゼロに近い電圧になる。一方、ＬＥＤ光源B1，B2とＤＣ／ＤＣコンバータ１，２との接続が不完全になったり、あるいはＬＥＤ光源B1，B2内の配線が断線することで無負荷状態となった場合、コンバータ１，２の出力電圧が入力電圧(力率改善回路４の出力電圧)にほぼ等しくなる。そのため、検出電圧が正常時の電圧よりも高くなる。
【００２９】
異常検出回路３では、抵抗R1とコンデンサC1からなるローパスフィルタで第１検出電圧に含まれる高周波成分を除去した後、分圧抵抗R2，R3によって第１検出電圧を分圧する。分圧された第１検出電圧でコンデンサC2が充電され、コンデンサC2の両端電圧がマイコン30の入力ポートに入力される。マイコン30は、入力ポートに入力される第１検出電圧(分圧された第１検出電圧)をＡ／Ｄ変換して大小２つのしきい値と比較する。
【００３０】
そして、第１検出電圧をＡ／Ｄ変換した値が小さい方のしきい値を下回るか、あるいは大きい方のしきい値を上回れば、マイコン30が、第１ＬＥＤ光源B1に異常が発生したことを示す第１異常検出信号を第１及び第２制御回路10，20にそれぞれ出力する。なお、小さい方のしきい値は、正常時の第１検出電圧よりも十分に小さく且つゼロよりも大きい値に設定される。また、大きい方のしきい値は、正常時の第１検出電圧よりも十分に大きく且つ第１及び第２コンバータ１，２の出力電圧が入力電圧と等しくなったと仮定した時の第１及び第２検出電圧よりも小さい値に設定される。同様に、異常検出回路３は、別の入力ポートに入力される第２検出電圧をＡ／Ｄ変換した値を大小２つのしきい値と比較する。そして、第２検出電圧をＡ／Ｄ変換した値が小さい方のしきい値を下回るか若しくは大きい方のしきい値を上回れば、マイコン30が、第２ＬＥＤ光源B2に異常が発生したことを示す第２異常検出信号を第１及び第２制御回路10，20にそれぞれ出力する。
【００３１】
第１制御回路10は、第１異常検出信号が入力された場合、スイッチング素子11のスイッチングを止めることで第１コンバータ１を停止する。第２制御回路20は、第２異常検出信号が入力された場合、スイッチング素子21のスイッチングを止めることで第２コンバータ２を停止する。その結果、異常(短絡又は無負荷)が発生したＬＥＤ光源B1，B2への給電を停止し、コンバータ１，２の保護や出力電圧の異常上昇の抑制を個別に図ることができる。
【００３２】
さらに、第１制御回路10は、第１異常検出信号が入力されず且つ第２異常検出信号が入力された場合、スイッチング素子11，21をオフする所定のピーク値を正常時よりも高くすることで第１コンバータ１から第１ＬＥＤ光源B1への給電量を増やす。その結果、第１ＬＥＤ光源B1の光量が増加するので、第２ＬＥＤ光源B2が消灯した場合における照度低下を抑制することができる。
【００３３】
同じく、第２制御回路20は、第２異常検出信号が入力されず且つ第１異常検出信号が入力された場合、ピーク値を正常時よりも高くすることで第２コンバータ２から第２ＬＥＤ光源B2への給電量を増やす。その結果、第２ＬＥＤ光源B2の光量が増加するので、第１ＬＥＤ光源B1が消灯した場合における照度低下を抑制することができる。
【００３４】
上述のように本実施形態のＬＥＤ駆動装置A1は、入力電力を所望の直流電力に変換し、変換した前記直流電力を給電することで複数のＬＥＤ光源B1，B2を駆動するＬＥＤ駆動装置である。そして、本実施形態のＬＥＤ駆動装置A1は、ＬＥＤ光源B1，B2の異常を検出する異常検出手段(異常検出回路３)と、複数のＬＥＤ光源B1，B2に給電される直流電力を各別に調整する調整手段(第１コンバータ１及び第２コンバータ２)とを備える。さらに、本実施形態のＬＥＤ駆動装置A1は、制御手段(第１制御回路10及び第２制御回路20)を備える。第１制御回路10及び第２制御回路20は、複数のＬＥＤ光源B1，B2の中で異常検出手段３が異常を検出したＬＥＤ光源B1，B2への給電を停止するとともに、異常検出手段３が異常を検出していないＬＥＤ光源B1，B2への給電量を増やすように調整手段１，２を制御する。
【００３５】
したがって、第１制御回路10及び第２制御回路20が、複数のＬＥＤ光源B1，B2の中で異常検出手段３が異常を検出していないＬＥＤ光源B1，B2への給電量を増やすように調整手段１，２を制御するので、異常発生時の照度低下を抑制することができる。ただし、第１制御回路10及び第２制御回路20は、第１異常検出信号及び第２異常検出信号が入力されなくなれば、停止していたスイッチング素子11，21のスイッチングを再開し、且つピーク値を元の値(異常検出信号が入力される前の値)に戻すことが好ましい。これにより、ＬＥＤ光源B1，B2の交換等がされて異常(短絡や無負荷)が解消されたときの誤動作を回避することができる。
【００３６】
また、本実施形態のＬＥＤ駆動装置A1では、交流の入力電力を直流電力に変換する交流／直流変換部(力率改善回路４)を備えることが好ましい。さらに、調整手段１，２は、交流／直流変換部４から出力される直流電力を所望の直流電力に変換する複数の直流／直流変換部(第１コンバータ１及び第２コンバータ２)を有することが好ましい。またさらに、交流／直流変換部４の出力端に複数の直流／直流変換部１，２が並列に接続され、複数の直流／直流変換部１，２の出力端に１つずつＬＥＤ光源B1，B2が接続されることが好ましい。このような構成であれば、複数の直流／直流変換部１，２で１つの交流／直流変換部４を共用することができるので、回路構成の簡素化を図ることができる。
【００３７】
あるいは、本発明の別の実施形態のＬＥＤ駆動装置A2は、図３に示すように交流の入力電力を直流電力に変換する複数の交流／直流変換部(力率改善回路4A，4B)を備えても構わない。そして、複数の交流／直流変換部4A，4Bの出力端に１つずつ直流／直流変換部１，２が接続され、複数の直流／直流変換部１，２の出力端に１つずつＬＥＤ光源B1，B2が接続されることが好ましい。なお、図４に示すように、２つのコンバータ１，２に対して異常検出回路３を各別に設け、各異常検出回路３の異常検出信号をそれぞれ２つのコンバータ１，２の制御回路10，20に出力する構成としても構わない。
【００３８】
ところで、制御手段10，20は、調整手段１，２を制御して複数のＬＥＤ光源B1，B2への給電量を定格値よりも低下させている場合において、異常検出手段３で異常が検出されたＬＥＤ光源B1，B2への給電を停止することが好ましい。さらに、制御手段10，20は、異常検出手段３で異常が検出されていないＬＥＤ光源B1，B2への給電量を定格値に近付けるように調整手段１，２を制御することが好ましい。
【００３９】
例えば、図５(ａ)に破線αで示すように、制御手段(第１制御回路10及び第２制御回路20)が初期照度補正によって調整手段(第１コンバータ１及び第２コンバータ２)の出力を調整(減少)させていると仮定する。そして、第１ＬＥＤ光源B1に異常が発生した場合、第１制御回路10が第１コンバータ１を停止させる。一方、第２ＬＥＤ光源B2が正常であれば、第２制御回路20は、図５(ａ)に実線βで示すように初期照度補正を中止して第２コンバータ２の給電量を増加させ、第２ＬＥＤ光源B2の光出力を定格値(100％)に近付けることが好ましい。あるいは、第２制御回路20は、図５(ｂ)に実線γで示すように、第２コンバータ２の給電量を増加して第２ＬＥＤ光源B2の光出力を定格値(100％)にしても構わない。このように光出力を定格値とする方が、第１制御回路10及び第２制御回路20の制御が容易になるという利点がある。あるいは、別の制御例として低調光(例えば調光レベル50%以下)ときに、図５(ｃ)に実線βで示すように光出力を元々の明るさとほぼ同等になるように制御する(２出力時は元々の光出力の２倍とする)ようにしても良い。
【００４０】
なお、本実施形態のＬＥＤ駆動装置A1，A2は２つのＬＥＤ光源B1，B2を駆動(点灯)するように構成されているが、３つ以上のＬＥＤ光源を駆動するように構成されても構わない。また、本実施形態のＬＥＤ駆動装置A1，A2が駆動する複数のＬＥＤ光源B1，B2は、同一(定格電圧及び定格電流が同一)のものである必要は無く、定格電圧又は定格電流の少なくとも一方が異なるものであっても構わない。
【００４１】
ところで、力率改善回路４の出力電圧は、２つのコンバータ１，２が動作する正常時に比べて、１つのコンバータ１又は２のみが動作する異常時には、軽負荷となるために上昇する可能性が高い。また、軽負荷となった場合、力率改善回路４の出力電圧にリップルが発生し、そのリップルの影響でＬＥＤ光源B1又はB2に流れる電流が変動してちらつきが生じる虞がある。
【００４２】
しかしながら、本実施形態のＬＥＤ駆動装置A1，A2では、継続して動作する方のコンバータ１又は２の出力を増加させているので、出力を増加させない場合と比較して、力率改善回路４の出力電圧の上昇及びリップルの発生を抑制することができる。
【００４３】
なお、第１及び第２コンバータ１，２は、図６に示すようにスイッチング素子11，21を高電位側(ハイサイド)とした回路構成であっても構わない(ただし、図６では第１コンバータ１のみを図示し、第２コンバータ２の図示を略す)。
【００４４】
本発明に係る照明器具の実施形態を図７に示す。本実施形態の照明器具７は、街路灯などに用いられるものであって、地面に立設されたポールＰの先端に取り付けられる器具本体70を備える。
【００４５】
器具本体70は、アルミダイカストによって扁平な矩形箱状に形成されており、内部に第１ＬＥＤ光源B1と第２ＬＥＤ光源B2が収納されている。器具本体70は、２つのＬＥＤ光源B1，B2に対向する下面に矩形の窓孔71が開口しており、この窓孔71を通してＬＥＤ光源B1，B2の放射する光が下方へ放射される。ただし、窓孔71は、強化ガラス製の透明なパネル72で閉塞されている。
【００４６】
また、器具本体70内には、ＬＥＤ駆動装置A1も収納される。ＬＥＤ駆動装置A1は、ポールＰの内部に配線された電源線(図示せず)を介して交流電源Ｅから交流電圧・交流電流が供給される。
【００４７】
なお、本発明に係る照明器具は街路灯に限定されるものではなく、例えば、トンネル内部を照明する照明器具などであってもよい。
【符号の説明】
【００４８】
A1  ＬＥＤ駆動装置
B1，B2  ＬＥＤ光源
１  第１ＤＣ／ＤＣコンバータ(調整手段)
２  第２ＤＣ／ＤＣコンバータ(調整手段)
３  異常検出回路(異常検出手段)
10  第１制御回路(制御手段)
20  第２制御回路(制御手段)
【図１】
2015023002.tif 000003
【図２】
2015023002.tif 000004
【図３】
2015023002.tif 000005
【図４】
2015023002.tif 000006
【図５】
2015023002.tif 000007
【図６】
2015023002.tif 000008
【図７】
2015023002.tif 000009